(57)【要約】【課題】  自動販売機に備えられるコイン投入装置であって、コインがコイン投入口に誤って過剰に投入されるのを防止しうるコイン投入装置を提供する。【解決手段】  コインを投入することにより商品を排出しうるように構成された自動販売機に装着されるコイン投入装置であって、コイン投入口に所定のコインが投入された際に、上記コイン投入口を閉鎖しうるシャッター部材が備えられている。上記シャッター部材は、投入されたコインにより押圧されて変位するコイン当接部と、当該シャッター部材の中間部を回転可能に支持する支持部と、上記コイン当接部が投入されたコインに押圧されて変位することにより上記支持部を支点として当該シャッター部材が回転することにより上記コイン投入口を閉鎖する方向へ変位するシャッター部とを有している。【選択図】  図３
0003125992.tif 000002
【実用新案登録請求の範囲】
【請求項１】
コインを投入することにより商品を排出しうるように構成された自動販売機に装着されるコイン投入装置であって、
コイン投入口に所定枚数のコインが投入された際に、上記コイン投入口を閉鎖しうるシャッター部材が備えられていることを特徴とするコイン投入装置。
【請求項２】
上記シャッター部材は、投入されたコインにより押圧されて変位するコイン当接部と、当該シャッター部材の中間部を回転可能に支持する支持部と、上記コイン当接部が投入されたコインに押圧されて変位することにより上記支持部を支点として回転することにより上記コイン投入口を閉鎖する方向へ変位するシャッター部とを有することを特徴とする請求項１記載のコイン投入装置。
【請求項３】
コイン投入口の下方には、投入されたコインが収納されるコイン保持部を有する回転可能なコイン選別部材が配置され、上記コイン当接部は上記コイン保持部内に配置されていることを特徴とする請求項２記載のコイン投入装置。
【請求項４】
上記シャッター部材は、常態時においては、上記シャッター部がコイン投入孔を開放すると共に上記コイン当接部が上記コイン保持部内に配置されるように付勢するバネ部材により付勢されていることを特徴とする請求項３記載のコイン投入装置。
【請求項５】
上記シャッター部材は、コイン返却用操作部材に固定された支持部材に支持されて上記コイン返却用操作部材と共に移動可能に構成され、上記の移動により、上記コイン当接部が上記コイン保持部から、及び上記シャッター部が上記コイン投入口から夫々脱出可能に構成されていることを特徴とする請求項２〜４記載のコイン投入装置。
【考案の詳細な説明】
【技術分野】
【０００１】
本考案はコイン投入装置に係り、特に、カプセル入り玩具等の自動販売機に装着され、誤って過剰にコインが投入されるのを防止しうるコイン投入装置に関する。
【背景技術】
【０００２】
従来、特許文献１や特許文献２に開示されているように、コインを投入することにより、カプセル入りの玩具等商品を排出しうるように構成された自動販売機が存在する。
【０００３】
【特許文献１】特開２００５−２９３０２５号公報
【０００４】
【特許文献２】実用新案登録第３１０４６４８号公報
【０００５】
上記特許文献所載の自動販売機は、コインが誤って投入された場合に、即ち、所定のコインより小さなコインがコイン投入口に投入された場合に、回転盤に設けられた連通路及び排出口を通って上記コインがコイン返却口に戻るように構成されている。
【０００６】
しかしながら、上記自動販売機を利用する場合は、コイン投入口にコインを投入した後で、誤って、再度コインを投入してしまう場合もある。
【０００７】
このようにコインを過剰投入すると、コイン投入口の内部にコインが詰まって故障したり、コインが返却されずに回収されてしまうという不具合が生じる。
【０００８】
したがって、コインがコイン投入口に誤って過剰に投入されるのを防止する必要があるが、上記特許文献所載の自動販売機には、コインの過剰投入を防止する手段は備えられていない。
【考案の開示】
【考案が解決しようとする課題】
【０００９】
そこで本考案は、自動販売機に備えられるコイン投入装置であって、コインがコイン投入口に誤って過剰に投入されるのを防止しうるコイン投入装置を提供すること、を課題とする。
【課題を解決するための手段】
【００１０】
上記課題を解決するために、本考案に係るコイン投入装置は、コインを投入することにより商品を排出しうるように構成された自動販売機に装着されるコイン投入装置であって、
コイン投入口に所定枚数のコインが投入された際に、上記コイン投入口を閉鎖しうるシャッター部材が備えられていることを特徴とする。
【００１１】
すなわち、本考案に係るコイン投入装置は、コイン投入口に所定のコインが投入されると、上記シャッター部材が連動して上記コイン投入口を閉鎖し、その後に続いてコインをコイン投入口に投入できないように構成されている。
【００１２】
また、本考案に係る上記コイン投入装置にあっては、上記シャッター部材は、投入されたコインにより押圧されて変位するコイン当接部と、当該シャッター部材の中間部を回転可能に支持する支持部と、上記コイン当接部が投入されたコインに押圧されて変位することにより上記支持部を支点として当該シャッター部材が回転することにより上記コイン投入口を閉鎖する方向へ変位するシャッター部とを有している。
【００１３】
すなわち、本考案に係るコイン投入装置は、コイン投入口にコインが投入されると、その投入されたコインは上記シャッター部材のコイン当接部に当接する。これにより上記コイン当接部はコインに押されて変位するが、その場合、上記シャッター部材は上記支持部を支点として回転運動する。この回転運動により、上記シャッター部材において上記コイン当接部の反対側端部に設けられた上記シャッター部が、コイン当接部が変位する方向の反対方向へ変位し、その変位により上記シャッター部は上記コイン投入口を閉鎖するように構成されている。
【００１４】
また、本考案に係る上記コイン投入装置にあっては、コイン投入口の下方には、投入されたコインが収納されるコイン保持部を有する回転可能なコイン選別部材が配置され、上記シャッター部材における上記コイン当接部は上記コイン保持部内に配置されている。
【００１５】
すなわち、本考案に係るコイン投入装置は、コイン投入口に投入されたコインは上記回転部材に設けられたコイン保持部に収納され、その後、回転部材を回転させることにより自動販売機に送られることになるが、上記コイン保持部にコインが収納された際に、上記コイン保持部には上記シャッター部材のコイン当接部が配置されているので、コインは上記コイン当接部に当接して、上記のようにシャッター部材を作動させる。
【００１６】
また、本考案に係る上記コイン投入装置にあっては、上記シャッター部材は、上記シャッター部をコイン投入孔を開放する状態に付勢するバネ部材により付勢されて、上記コイン当接部が上記コイン保持部内に配置されている。
【００１７】
すなわち、本考案に係るコイン投入装置は、上記シャッター部材のコイン当接部が上記コイン保持部から脱出していると、コインが投入された際に、コインが上記コイン当接部に当接せず、上記シャッター部材が作動できないことになるので、それを回避するために、上記シャッター部材をバネ部材により付勢して、上記コイン当接部を上記コイン保持部内に確実に位置させている。
【００１８】
また、本考案に係る上記コイン投入装置にあっては、上記シャッター部材は、コイン返却用操作部材に固定された支持部材に支持されて上記コイン返却用操作部材と共に移動可能に構成され、上記の移動により、上記コイン当接部が上記コイン保持部から、及び上記シャッター部が上記コイン投入口から夫々脱出可能に構成されている。
【００１９】
すなわち、本考案に係るコイン投入装置は、所定のコインとは異なるコインが上記コイン保持部に投入されてしまう場合もあり、その場合はコインを排出する必要があるが、上記コイン当接部が上記コイン保持部内に存在すると、上記コイン当接部が邪魔になり、コインが排出できなくなってしまう。したがって、上記不具合を解消するために、上記シャッター部材をコイン返却用操作部材と連動させ、コインを排出するために上記コイン返却用操作部材を移動させた際に、上記コイン当接部も上記コイン保持部から脱出するように構成されている。
【考案の効果】
【００２０】
請求項１記載の本考案に係るコイン投入装置は、コインを投入することにより商品を排出しうるように構成された自動販売機に装着されるコイン投入装置であって、コイン投入口に所定のコインが投入された際に、上記コイン投入口を閉鎖しうるシャッター部材が備えられていることから、上記コイン投入口にコインが投入されると、上記シャッター部材により上記コイン投入口が閉鎖されて、それ以上は、コインを上記コイン投入口に投入することができないので、コインが誤って過剰にコイン投入口へ投入されるのが防止される。
したがって、コイン投入口の内部にコインが詰まって故障したり、コインが返却されずに回収されてしまうという不具合を回避することができる。
【００２１】
請求項２記載の本考案に係るコイン投入装置は、上記シャッター部材は、投入されたコインにより押圧されて変位するコイン当接部と、当該シャッター部材の中間部を回転可能に支持する支持部と、上記コイン当接部が投入されたコインに押圧されて変位することにより上記支持部を支点として当該シャッター部材が回転することにより上記コイン投入口を閉鎖する方向へ変位するシャッター部とを有することから、上記コイン投入口に投入されたコインが上記コイン当接部に接触して押圧した際に、上記シャッター部材が上記支点を中心として回転することにより、上記シャッター部が上記コイン投入口を確実に閉鎖することができる。
したがって、コインが上記コイン投入口に投入された状態では、それ以上コインが投入されることがないので、コインが誤って過剰にコイン投入口へ投入されることはない。
【００２２】
請求項３記載の本考案に係るコイン投入装置は、コイン投入口の下方には、投入されたコインが収納されるコイン保持部を有する回転可能なコイン選別部材が配置され、上記シャッター部材における上記コイン当接部は上記コイン保持部内に配置されていることから、コイン投入口に投入されたコインは上記回転部材の上記コイン保持部に落下して、同所に配置されている上記コイン当接部に即座に接触して押圧するので、上記シャッター部材は上記支点を中心として速やかに回転する。
したがって、コイン投入口にコインを投入すると、上記シャッター部材のシャッター部が迅速にコイン投入口を閉鎖して、それ以上のコインの投入を防止することができる。
【００２３】
請求項４記載の本考案に係るコイン投入装置は、上記シャッター部材は、常態時においては、上記シャッター部がコイン投入孔を開放すると共に上記コイン当接部が上記コイン保持部内に配置されるように付勢するバネ部材により付勢されていることを特徴とする。
したがって、上記コイン当接部が上記コイン保持部から抜け出た状態となって、コイン投入口に投入されたコインが上記コイン保持部に落下した際に、上記コイン当接部にコインが接触しない状態を回避することができる。これにより上記シャッター部材は確実に作動して上記コイン投入口を閉鎖することができる。  
【００２４】
請求項５記載の本考案に係るコイン投入装置は、上記シャッター部材は、コイン返却用操作部材に固定された支持部材に支持されて上記コイン返却用操作部材と共に移動可能に構成され、上記の移動により、上記コイン当接部が上記コイン保持部から、及び上記シャッター部が上記コイン投入口から夫々脱出可能に構成されていることから、上記シャッター部材の上記コイン当接部が上記コイン保持部内に配置されていることが邪魔になる場合に、上記コイン返却用操作部材と共に上記シャッター部材を後方へ移動させて、上記コイン保持部から上記コイン当接部を脱出させることができる。
したがって、上記コイン保持部に落下したコインを返却させる場合に、上記シャッター部材が邪魔になることがなく、コインを不具合なく返却させることができる。
【考案を実施するための最良の形態】
【００２５】
以下、図面を用いて本考案の実施の形態について説明する。
本実施の形態に係るコイン投入装置１１は、図１に示すように、コイン９２を投入することにより商品を排出しうるように構成された自動販売機１２に装着されるコイン投入装置１１であって、コイン投入口１４に所定のコイン９２が投入された際に、図３に示すように、上記コイン投入口１４を閉鎖しうるシャッター部材５８が備えられている。
また、上記シャッター部材５８は、図１４に示すように、投入されたコイン９２により押圧されて変位するコイン当接部７６と、当該シャッター部材５８の中間部を回転可能に支持する支持部７８と、上記コイン当接部７６が投入されたコイン９２に押圧されて変位することにより上記支持部７８を支点として当該シャッター部材５８が回転することにより上記コイン投入口１４を閉鎖する方向へ変位するシャッター部７７とを有している。
また、図２に示すように、コイン投入口１４の下方には、投入されたコイン９２が収納されるコイン保持部３９，４０を有する回転可能なコイン選別部材２１が配置され、上記シャッター部材５８における上記コイン当接部７６は上記コイン保持部３９，４０内に配置されている。
また、上記シャッター部材５８は、図２に示すように、バネ部材９０により付勢されて、上記コイン当接部７６が上記コイン保持部３９，４０内に配置されている。
また、上記シャッター部材５８は、コイン返却用操作部材１６に固定された支持部材５７に支持されて上記コイン返却用操作部材１６と共に移動可能に構成され、上記の移動により、上記コイン当接部７６が上記コイン保持部３９，４０から、及び上記シャッター部７７が上記コイン投入口１４から夫々脱出可能に構成されている。
【実施例１】
【００２６】
図は実施例に係るコイン投入装置１１を示したものである。
図１は本実施例に係るコイン投入装置１１取り付けた自動販売機１２を示しており、上記自動販売機１２は、球状の透明なカプセルに入った玩具１３を商品として販売しうるように構成されている。
【００２７】
上記コイン投入装置１１は、コイン投入口１４と、回転ツマミ１５と、コイン返却用操作部材１６と、返却コイン取出口１７とが表面側カバー部材１８に設けられている。
【００２８】
上記自動販売機１３は、上記コイン投入装置１１のコイン投入口１４に所定枚数のコインを投入して、上記回転ツマミ１５を回転させると、コインが自動販売機１３に送られて、上記玩具１３が一つ商品取出口１９に落下するように構成されている。
また、所定枚数以上のコインが上記コイン投入口１４に投入された場合は、上記回転ツマミ１５は回転不能となり、この場合は、上記コイン返却用操作部材１６を押すと、上記返却コイン取出口１７にコインが落下して返却されるように構成されている。
【００２９】
上記コイン投入装置１１は、上記の表面側カバー部材１８の他に、コインガイド部材２０、コイン選別部材２１、裏面側カバー部材２２、及び取付部材２３を有している。
【００３０】
図５は上記表面側カバー部材１８の裏面部を示したもので、幅方向中央部の上端に上記コイン投入口１４が、その下方にコイン返却部材挿通孔２４が、略中心部に回転ツマミ固定軸挿通孔２５が、幅方向中央部の下端に上記返却コイン取出口１７が夫々設けられると共に、四隅には雌ネジ２６が固定されている。
【００３１】
図６は上記コインガイド部材２０の表面部を示したもので、幅方向中央部の上端にガイド部２７が、その僅か下方にシャッター部通過孔２８が、略中心部に回転ツマミ固定軸挿通孔２９が、上記シャッター部通過孔２８と上記回転ツマミ固定軸挿通孔２９の中間位置に左右一対のコイン返却部材連結軸挿通孔３０とコイン返却部材突出部通過孔３１が、上記回転ツマミ固定軸挿通孔２９の斜め下方に傾斜した長方形状のコイン押出部材通過孔３２が、四隅にネジ挿通孔３３が夫々設けられている。
また、上記コイン押出部材通過孔３２には、コイン押出部材３４と板バネ３５がネジ部材３６により固定されて、上記コイン押出部材３４の先端部が上記板バネ３５に付勢されて上記コインガイド部材２０の裏面側へ突出するように装着されている。
【００３２】
図７は上記表面側カバー部材１８の裏面部に上記コインガイド部材２０を配置した状態を示している。上記コインガイド部材２０の裏面部における中央部には上記コイン選別部材２１が回転可能に配置されている。
上記コイン選別部材２１は金属板により略円板状に形成され、その中心部に方形の回転ツマミ固定軸挿通孔３７が形成され、また、外周縁部に沿って歯部３８が形成されると共に、外周縁部の一部に略Ｕ字状に切り欠かれたコイン保持部３９，４０が設けられている。
上記コイン保持部３９，４０は厚さ方向に沿って２種類設けられ、一方は小径のコインを収納しうるコイン保持部３９に、他方は大径のコインを収納しうるコイン保持部４０に形成されている。
上記コインガイド部材２０の裏面には、上記コイン選別部材２１の歯部３８と係合して、上記コイン選別部材２１の逆回転を防止しうる逆回転防止爪４１がバネ部材４２により付勢されて上記コイン選別部材２１に組み付けられている。
また、上記コイン保持部３９，４０に所定外のコインが投入された状態で、又はコインが投入されない状態で、上記コイン選別部材２１が回転させられた際に、上記コイン保持部３９，４０の外端縁部に設けられた係止縁部４３と係合して上記コイン選別部材２１の回転を阻止しうると共に、上記コイン保持部３９，４０に所定のコイン９２が投入された状態で、上記コイン選別部材２１が回転させられた場合は、コイン９２の外周面に乗り上げて上記コイン選別部材２１の回転を続行させうる係止爪４４がバネ部材４５により付勢されて上記コイン選別部材２１に組み付けられている。
【００３３】
図８は上記裏面側カバー部材２２の表面部を示している。上記裏面側カバー部材２２は幅方向中央部における上端部に略十字形のシャッター部材通過孔４６が設けられ、その下方の中心部には回転ツマミ固定軸挿通孔４７が設けられ、上記回転ツマミ固定軸挿通孔４７の斜め下方にコイン送出孔４８が設けられている。
また、上記シャッター部材通過孔４６から上記回転ツマミ固定軸挿通孔４７の側方を曲がりながら通過して下端部まで至る箇所には高さ方向に沿って返却コイン排出用溝部４９が形成され、四隅にはネジ挿通孔５０が夫々設けられている。
【００３４】
図９は上記取付部材２３の表面部を示している。上記取付部材２３は中心部に回転ツマミ固定軸挿通用切込部５１が設けられ、その斜め下方にコイン送出用切込部５２が上記回転ツマミ固定軸挿通用切込部５１と連続するように設けられている。また、三隅と右側端部における高さ方向の中央部にはネジ挿通孔５３，５３ａが設けられ、左右の側縁部には夫々上記自動販売機１２に係合して接続しうる係止片５４が設けられ、上縁部にはシャッター部材通過用切込部５５が設けられている。
【００３５】
図１０は上記表面側カバー部材１８の裏面側に上記コインガイド部材２０、コイン選別部材２１、裏面側カバー部材２２及び上記取付部材２３を順次重ね合わせて、上記各ネジ挿通孔３３，５０，５３，５３ａに雄ネジ５６，５６ａを挿通し、上記表面側カバー部材１８に取り付けられた上記雌ネジ２６と螺着させることにより固定した状態を示している。
なお、上記取付部材２３のネジ挿通孔５３ａに挿通した雄ネジ５６ａは、上記裏面側カバー部材２２の裏面部に取り付けられた雌ネジ（図示せず）と螺着している。
図１０に示すように、上記裏面側カバー部材２２のコイン送出孔４８と、上記取付部材２３のコイン送出用切込部５２は位置が重なり合っうように形成され、図面上は上記コイン選別部材２１に隠れているが、上記コインガイド部材２０に設けられた上記コイン押出部材通過孔３２も、上記コイン送出孔４８及び上記コイン送出用切込部５２と位置が重なり合うように形成されている。
また、上記裏面側カバー部材２２に設けられた略十字形の上記シャッター部材通過孔４６には、支持部材５７に保持されたシャッター部材５８が配置されている。
【００３６】
また、上記表面側カバー部材１８の表面部には回転ツマミ１５が配置され、上記回転ツマミ１５には回転ツマミ固定軸５９の一端がネジ部材６２により固定されている。上記回転ツマミ固定軸５９は断面方形に形成され、上記各回転ツマミ固定軸挿通孔２５，２９，３７，４７に挿通されて、他端部が上記取付部材２３の上記回転ツマミ固定軸挿通用切込部５１から突出し、図２１に示す歯車６０をネジ部材６３により固定している。上記コイン選別部材２１の回転ツマミ固定軸挿通孔３７と、上記歯車６０の取付孔６１は断面方形に形成され、上記コイン選別部材２１と上記歯車６０は上記回転ツマミ固定軸５９と一体に回転する。
【００３７】
図１１〜図１３は上記コイン返却用操作部材１６を示している。上記コイン返却用操作部材１６は正面Ｔ字形に形成され、上端に水平な腕部６４を有し、上記腕部６４の長さ方向中央部から下方へ向かって脚部６５が形成されている。上記腕部６４の表面部中央には前方へ押ボタン部６６が突設され、上記腕部６４の両端部には連結軸接続孔部６７が設けられ、上記脚部６５の下端裏面部には後方へ筒状のコイン突き出し部６８が突設されている。
【００３８】
上記コイン返却用操作部材１６は、図２〜図４に示すように、上記表面側カバー部材１８と上記コインガイド部材２０の間に配置され、上記押ボタン部６６は上記表面側カバー部材１８のコイン返却部材挿通孔２４を貫通して上記表面側カバー部材１８の表面側へ突出し、上記コイン突き出し部６８は上記コインガイド部材２０の上記コイン返却部材突出部通過孔３１を貫通して、上記コインガイド部材２０の裏面側へ突出可能となっている。
また、上記腕部６４の両端部に形成された上記連結軸接続孔部６７には、図４に示すように、連結軸６９の一端がネジ部材７０により固定されている。上記連結軸６９の他端は上記コインガイド部材２０に設けられた上記コイン返却部材連結軸挿通孔３０を貫通して、上記コインガイド部材２０の裏面側へ突出し、シャッター部材５８の支持部材５７と接続されている。
上記表面側カバー部材１８と上記コインガイド部材２０の間において、上記連結軸６９の周囲には、図４に示すように、バネ部材９１が装着され、上記コイン返却用操作部材１６は、通常、上記押ボタン部６６が上記表面側カバー部材１８のコイン返却部材挿通孔２４を貫通して上記表面側カバー部材１８の表面側へ突出した状態を維持するように、上記バネ部材９１により前方へ付勢されている。
【００３９】
図１４及び図１５はシャッター部材５８を示している。上記シャッター部材５８は、高さ方向の中央部に断面コ字状の基部７１を有し、上記基部７１の上面部７２と下面部７３の先端から夫々上下方向に首部７４と下肢部７５が設けられ、上記下肢部７５の下端部に側面台形状のコイン当接部７６が設けられ、上記首部７４の上端に側面三角形状のシャッター部７７が設けられている。
また、上記基部７１における上記下面部７３の前端側縁部には外方へ突出する小円柱状の支持部７８が、回転する際の支点として設けられている。
また、上記基部７１の内面部には、輪状の窪んだバネ部材端部固定部７９が設けられている。
【００４０】
図１６〜図１９は上記シャッター部材５８を保持する支持部材５７を示している。
上記支持部材５７は、前面部８０及び両側面部８１，８２が設けられ、後方は開放された略箱状に形成された基部８３と、上記両側面部８１，８２から夫々外方へ水平に突設された接続腕部８４とを有している。
上記接続腕部８４には接続孔部８５が形成され、上記接続孔部８５は、図４に示すように、上記連結軸６９の後端部をネジ部材８６により固定可能に形成されている。
上記基部８３の前面部８０における下端部には上記シャッター部材５８のコイン当接部７６が貫通可能なコイン当接部通過孔８７が形成されている。
上記基部８３における前面部８０の内面部にはバネ部材端部固定用突起８８が設けられ、又、上記側面部８１，８２における高さ方向中央部かつ前端部には上記シャッター部材５８の支点部７８を回動可能に支持しうる係合孔部８９が形成されている。
【００４１】
図２０は上記支持部材５７が上記シャッター部材５８を保持した状態を示している。
上記シャッター部材５８は、上記支持部材５７における上記基部８３の両側面部８１，８２の間に配置され、上記支持部７８が上記係合孔部８９に回動可能に係合している。  
その結果、上記シャッター部材５８は、上端のシャッター部７７と下端のコイン当接部７６を前後方向の互いに反対方向へ変位可能としている。
【００４２】
上記支持部材５７と上記シャッター部材５８は、上記コインガイド部材２０の裏面側で、上記コイン選別部材２１の後方に配置され、上記コインガイド部材２０の上記コイン返却部材連結軸挿通孔３０を貫通した上記連結軸６９の他端と接続されていることから、上記上記支持部材５７と上記シャッター部材５８は上記コイン返却用操作部材１６と上記連結軸６９を介し接続し、上記コイン返却用操作部材１６と連動するように構成されている。
【００４３】
また、上記シャッター部材５８の上記バネ部材端部固定部７９と、上記支持部材５７の上記バネ部材端部固定用突起８８の間にはバネ部材９０が介装され、上記シャッター部材５８の上記コイン当接部７６は上記バネ部材９０により装置前方へ付勢されている。
したがって、上記シャッター部材５８の上記コイン当接部７６は、常態時には、上記コイン当接部通過孔８７を貫通して、上記コイン選別部材２１における上記コイン保持部内に位置している。
また、上記シャッター部材５８の上記シャッター部７７は、常態時には、装置後方へ変位した状態にあり、上記シャッター部７７は上記コイン投入口１４の後方に位置し、上記コイン投入口１４を開放している状態にある。
【００４４】
以下、上記実施例の作用について説明する。
上記コイン投入口１４にコイン９２を投入すると、コイン９２は上記コインガイド部材２０の上記ガイド部２７を滑り落ちて、上記コイン選別部材２１における上記コイン保持部３９又は４０に収納される。
このとき、上記コイン保持部３９，４０には上記シャッター部材５８における上記コイン当接部７６が位置しているので、コイン９２は上記コイン当接部７６に当たり、コイン当接部７６は装置後方へ押圧される。これにより、上記シャッター部材５８は上記支点部７８を中心として図中反時計方向へ回転し、上記シャッター部材５８の上端に設けられた上記シャッター部７７は装置前方へ変位して、上記コインガイド部材２０に設けられた上記シャッター部通過孔２８を貫通して上記コイン投入口１４の内側を閉鎖する。
したがって、図３に示すように、コイン９２を投入した後に２枚目のコイン９２を投入しても、そのコイン９２は上記シャッター部７７により投入を阻止されるので、コイン投入装置１１の内部に過剰にコイン９２が詰め込まれるのを防止することができ、装置の故障の原因が除かれる。
【００４５】
上記コイン選別部材２１における上記コイン保持部３９又は４０に所定のコイン９２が挿入された場合は、上記回転ツマミ１５を回転させると、上記係止爪４４がコイン９２の外周面に乗り上げて、上記コイン選別部材２１は回転を阻止されることなく、回転を続行することができる。そして、上記コイン保持部３９，４０が上記裏面側カバー部材２２の上記コイン送出孔４８の位置まで回転すると、上記コイン保持部３９，４０の後方が開放されるので、コイン９２は上記コインガイド部材２０に固定された上記コイン押出部材３４により後方へ弾き飛ばされ、コイン９２は上記コイン送出孔４８及び上記コイン送出用切込部５２を通過して自動販売機１２に収納される。この場合、上記回転ツマミ１５と一体に回転する上記歯車６０の回転により、自動販売機１２の商品排出機構（図示せず）が駆動され、玩具１３が一つだけ上記商品取出口１９に落下し、購買者は玩具１３を手に入れることができる。
【００４６】
上記コイン投入口１４に所定外のコインが投入された状態、又はコインが投入されない状態で、上記回転ツマミ１５を回転させると、上記コイン保持部３９，４０の外端縁部に設けられた係止縁部４３が上記係止爪４４に衝接して、上記コイン選別部材２１の回転が阻止される。したがって、それ以上、上記回転ツマミ１５を回転させることができないので、コインは自動販売機１２に送られず、商品は上記商品取出口１９に落下しない。これにより、商品が不当に取り出されることはない。
上記コイン投入口１４に所定枚数以上のコインが投入された場合は、上記コイン返却用操作部材１６における上記押ボタン部６６を押してコインを返却することができる。上記押ボタン部６６を押すと、上記コイン返却用操作部材１６における上記コイン突き出し部６８が
上記コイン返却部材突出部通過孔３１を貫通して上記コイン選別部材２１の上記コイン保持部３９，４０に収納されているコインを後方へ押し出すことになる。これにより、コインは上記裏面側カバー部材２２に設けられた上記返却コイン排出用溝部４９を通って上記返却コイン取出口１７に落下するので、コインを取り戻すことができる。
【産業上の利用可能性】
【００４７】
本考案は、玩具等を販売する自動販売機に装着されるコイン投入装置に適用可能である。
【図面の簡単な説明】
【００４８】
【図１】本考案の実施例に係るコイン投入装置を取り付けた自動販売機の斜視図である。
【図２】本考案の実施例に係るコイン投入装置の縦断面図である。
【図３】本考案の実施例に係るコイン投入装置のシャッター部材が作動した状態を示す縦断面図である。
【図４】本考案の実施例に係るコイン返却用操作部材とシャッター部材の連結構造を示す横縦断面図である。
【図５】本考案の実施例に係る表面側カバー部材の背面図である。
【図６】本考案の実施例に係るコインガイド部材の正面図である。
【図７】本考案の実施例に係るコインガイド部材にコイン選別部材を組み付けた状態の背面図である。
【図８】本考案の実施例に係る裏面側カバー部材の正面図である。
【図９】本考案の実施例に係る取付部材の正面図である。
【図１０】本考案の実施例に係る裏面側カバー部材の裏側に取付部材を固定した状態の背面図である。
【図１１】本考案の実施例に係るコイン返却用操作部材の正面図である。
【図１２】図１１のＡ−Ａ線断面図である。
【図１３】図１１のＢ−Ｂ線断面図である。
【図１４】本考案の実施例に係るシャッター部材の側面図である。
【図１５】本考案の実施例に係るシャッター部材の正面図である。
【図１６】本考案の実施例に係る支持部材の正面図である。
【図１７】本考案の実施例に係る支持部材の平面図である。
【図１８】本考案の実施例に係る支持部材の側面図である。
【図１９】本考案の実施例に係る支持部材の縦断面図である。
【図２０】本考案の実施例に係る支持部材にシャッター部材を組み付けた状態の縦断面図である。
【図２１】本考案の実施例に係る歯車の正面図である。
【符号の説明】
【００４９】
１１  コイン投入装置
１２  自動販売機
１３  玩具
１４  コイン投入口
１５  回転ツマミ
１６  コイン返却用操作部材
１７  返却コイン取出口
１８  表面側カバー部材
１９  商品取出口
２０  コインガイド部材
２１  コイン選別部材
２２  裏面側カバー部材
２３  取付部材
２４  コイン返却部材挿通孔
２５  回転ツマミ固定軸挿通孔
２６  雌ネジ
２７  ガイド部
２８  シャッター部通過孔
２９  回転ツマミ固定軸挿通孔
３０  コイン返却部材連結軸挿通孔
３１  コイン返却部材突出部通過孔
３２  コイン押出部材通過孔
３３  固定ネジ挿通孔
３４  コイン押出部材
３５  板バネ
３６  ネジ
３７  回転ツマミ固定軸挿通孔
３８  歯部
３９  コイン保持部
４０  コイン保持部
４１  逆回転防止爪
４２  バネ部材
４３  係止縁部
４４  係止爪
４５  バネ部材
４６  シャッター部材通過孔
４７  回転ツマミ固定軸挿通孔
４８  コイン送出孔
４９  返却コイン排出用溝部
５０  固定ネジ挿通孔
５１  回転ツマミ固定軸挿通用切込部
５２  コイン送出用切込部
５３，５３ａ  ネジ挿通孔
５４  係止片
５５  シャッター部材通過用切込部
５６，５６ａ  雄ネジ
５７  支持部材
５８  シャッター部材
５９  回転ツマミ固定軸
６０  歯車
６１  取付孔
６２  ネジ部材
６３  ネジ部材
６４  腕部
６５  脚部
６６  押ボタン部
６７  連結軸接続孔部
６８  コイン突き出し部
６９  連結軸
７０  ネジ部材
７１  基部
７２  上面部
７３  下面部
７４  首部
７５  下肢部
７６  コイン当接部
７７  シャッター部
７８  支持部
７９  バネ部材端部固定部
８０  前面部
８１  側面部
８２  側面部
８３  基部
８４  接続腕部
８５  接続孔部
８６  ネジ部材
８７  コイン当接部通過孔
８８  バネ部材端部固定用突起
８９  係合孔部
９０  バネ部材
９１  バネ部材
９２  コイン
【図１】
0003125992.tif 000003
【図２】
0003125992.tif 000004
【図３】
0003125992.tif 000005
【図４】
0003125992.tif 000006
【図５】
0003125992.tif 000007
【図６】
0003125992.tif 000008
【図７】
0003125992.tif 000009
【図８】
0003125992.tif 000010
【図９】
0003125992.tif 000011
【図１０】
0003125992.tif 000012
【図１１】
0003125992.tif 000013
【図１２】
0003125992.tif 000014
【図１３】
0003125992.tif 000015
【図１４】
0003125992.tif 000016
【図１５】
0003125992.tif 000017
【図１６】
0003125992.tif 000018
【図１７】
0003125992.tif 000019
【図１８】
0003125992.tif 000020
【図１９】
0003125992.tif 000021
【図２０】
0003125992.tif 000022
【図２１】
0003125992.tif 000023
【手続補正書】
【提出日】平成18年8月14日(2006.8.14)
【手続補正１】
【補正対象書類名】実用新案登録請求の範囲
【補正対象項目名】請求項５
【補正方法】変更
【補正の内容】
【請求項５】
上記シャッター部材は、コイン返却用操作部材に固定された支持部材に支持されて上記コイン返却用操作部材と共に移動可能に構成され、上記の移動により、上記コイン当接部が上記コイン保持部から、及び上記シャッター部が上記コイン投入口から夫々脱出可能に構成されていることを特徴とする請求項２〜４のいずれか１項に記載されたコイン投入装置。